(57)【要約】【課題】振動によって発音体に発音させる発音装置を容易に設置できるようにする。【解決手段】発音装置１は、発音信号に従って伸縮振動する磁歪素子が収納されており、磁歪素子の先端部に設置した磁石５が発音装置１の設置面から突出している。磁石５の周囲には、ケース２に固定された磁石４が配置されており、車両のボンネットの裏側などに磁石４、磁石５を吸着させて設置する。発音装置１は、エンジンルームなどに設置された発音駆動装置４１、ハンドルなどに設置された無線スイッチ３１ａなどと共に発音体システムを構成している。ユーザが無線スイッチ３１ａや無線スイッチ３１ｂをオンすると、無線により発音指令が発音駆動装置４１に送信され、発音駆動装置４１は、発音信号を生成して発音装置１に出力する。発音装置１は、当該発音信号によって磁歪素子を伸縮振動させて車体から音を出力させる。【選択図】図１
2012091590.tif 000002
【特許請求の範囲】
【請求項１】
発音信号に従って振動体の先端部を振動させる振動装置と、
前記先端部を外部に突出させて前記振動装置を収納する容器と、
音を発生する発音体の表面に前記容器を固定する固定手段と、
前記容器に収納され、前記振動装置を前記発音体の方向に付勢することにより前記振動体の先端部を前記発音体の表面に付勢する付勢手段と、
を具備したことを特徴とする発音装置。
【請求項２】
前記付勢手段と前記容器の間に配置された振動吸収部材を具備したことを特徴とする請求項１に記載の発音装置。
【請求項３】
前記先端部が前記発音体を前記振動装置の方に引く力を作用させる引込手段を具備したことを特徴とする請求項１、又は請求項２に記載の発音装置。
【請求項４】
前記固定手段は、複数存在し、前記先端部は、前記複数の固定手段の端面を含む平面よりも突出していることを特徴とする請求項１、請求項２、又は請求項３に記載の発音装置。
【請求項５】
前記固定手段は、磁石で構成されていることを特徴とする請求項１から請求項４までの内の何れか１の請求項に記載の発音装置。
【請求項６】
前記引込手段は、前記先端部に設けた磁石により構成されていることを特徴とする請求項３に記載の発音装置。
【請求項７】
前記付勢手段の付勢力を調節する調節手段を具備したことを特徴とする請求項１から請求項６までの内の何れか１の請求項に記載の発音装置。
【発明の詳細な説明】
【技術分野】
【０００１】
本発明は、発音装置に関し、例えば、車両の車体を振動させて発音させるものに関する。
【背景技術】
【０００２】
従来、自動車から外部に発音する手段としてはクラクションが用いられてきたが、例えば、歩行者などに与える不快感を低減したい、「車が通ります」「左へ曲がります」「バックします」などの言語による情報を歩行者などに伝達したい、ハイブリッド自動車や電気自動車では走行音が静かなため、エンジン音の擬音を発して歩行者などに車両の接近を知らせたい、などの要望があった。
【０００３】
このような要望を満たす発音装置として、特許文献１の「車両用発音体システム」がある。
この技術は、音声信号によって伸縮振動する磁歪素子を発音アクチュエータとして車両の車体に取り付けるものである。
発音体駆動信号により磁歪素子を駆動すると、車体の外殻金属板が発音振動体として、発音体駆動信号に従った音声を発するものである。これにより、警告音を発したり、音声ガイダンスを発したりすることが可能となる。
【０００４】
しかし、この技術では、ボンネットの裏や車両の側面内側など、車体の発音箇所に磁歪素子を固定する必要があり、如何に取り付けを容易にするかという問題があった。
特に磁歪素子を後付けによって設置する場合、磁歪素子の取り付け箇所と発音状態が車種ごと異なるため、磁歪素子を着脱して発音状態を確認しながら設置できるものが望ましかった。
【先行技術文献】
【特許文献】
【０００５】
【特許文献１】特開２００７−６２５４０号公報
【発明の概要】
【発明が解決しようとする課題】
【０００６】
本発明は、振動によって発音体に発音させる発音装置を容易に設置できるようにすることを目的とする。
【課題を解決するための手段】
【０００７】
本発明は、前記目的を達成するために、請求項１に記載の発明では、発音信号に従って振動体の先端部を振動させる振動装置と、前記先端部を外部に突出させて前記振動装置を収納する容器と、音を発生する発音体の表面に前記容器を固定する固定手段と、前記容器に収納され、前記振動装置を前記発音体の方向に付勢することにより前記振動体の先端部を前記発音体の表面に付勢する付勢手段と、を具備したことを特徴とする発音装置を提供する。
請求項２に記載の発明では、前記付勢手段と前記容器の間に配置された振動吸収部材を具備したことを特徴とする請求項１に記載の発音装置を提供する。
請求項３に記載の発明では、前記先端部が前記発音体を前記振動装置の方に引く力を作用させる引込手段を具備したことを特徴とする請求項１、又は請求項２に記載の発音装置を提供する。
請求項４に記載の発明では、前記固定手段は、複数存在し、前記先端部は、前記複数の固定手段の端面を含む平面よりも突出していることを特徴とする請求項１、請求項２、又は請求項３に記載の発音装置を提供する。
請求項５に記載の発明では、前記固定手段は、磁石で構成されていることを特徴とする請求項１から請求項４までの内の何れか１の請求項に記載の発音装置を提供する。
請求項６に記載の発明では、前記引込手段は、前記先端部に設けた磁石により構成されていることを特徴とする請求項３に記載の発音装置を提供する。
請求項７に記載の発明では、前記付勢手段の付勢力を調節する調節手段を具備したことを特徴とする請求項１から請求項６までの内の何れか１の請求項に記載の発音装置を提供する。
【発明の効果】
【０００８】
本発明によれば、発音体に固定する固定部を備えた容器に振動体を振動させる振動装置を収納することにより、発音装置を容易に設置することができる。
【図面の簡単な説明】
【０００９】
【図１】発音装置の外観や設置位置などを説明するための図である。
【図２】発音装置の構造を説明するための図である。
【図３】振動デバイスの構造を説明するための図である。
【図４】車両発音システムの構成を説明するための図である。
【図５】発音データを説明するための図である。
【図６】車両発音システムの変形例を説明するための図である。
【発明を実施するための形態】
【００１０】
（１）実施形態の概要
発音装置１（図１（ａ））は、発音信号に従って伸縮振動する磁歪素子が収納されており、磁歪素子の先端部に設置した磁石５が発音装置１の設置面から突出している。
磁石５の周囲には、ケース２に固定された磁石４ａ〜４ｄが配置されており、車両のボンネットの裏側などの車体を構成する金属板に磁石４ａ〜４ｄ、磁石５を吸着させることにより発音装置１を容易に設置することができる。
【００１１】
発音装置１は、エンジンルームなどに設置された発音駆動装置４１、ハンドルなどに設置された無線スイッチ３１ａ、携帯可能な無線スイッチ３１ｂなどと共に車両発音システム（図１（ｂ））を構成している。
ユーザが無線スイッチ３１ａや無線スイッチ３１ｂをオンすると、無線により発音指令が発音駆動装置４１に送信され、発音駆動装置４１は、発音信号を生成して発音装置１に出力する。
発音装置１は、当該発音信号によって磁歪素子を伸縮振動させて車体から音を出力させる。
【００１２】
（２）実施形態の詳細
図１（ａ）は、発音装置１の外観を示した斜視図である。
発音装置１は、例えば、長さが６０［ｍｍ］程度、端面が４０×４０［ｍｍ］程度の直方体形状を有しており、ケース２と底板３からなる容器に後述の振動デバイス１３（図２（ａ））を内蔵して構成されている。
ケース２の設置面（車体に設置する端面）には、一辺が２０［ｍｍ］程度の正方形の頂点に中心が位置するように４個の磁石４ａ〜４ｄが設置されている。なお、以下では、磁石４ａ〜４ｄを区別しない場合は単に磁石４と記す。
【００１３】
ケース２の設置面の中心には貫通孔６が形成されており、貫通孔６から振動デバイス１３によって振動する磁石５が突出している。
磁石５の外径は、貫通孔６の内径よりも小さく設定されており、磁石５は、貫通孔６内を発音装置１の長手方向に自由に移動することができる。
【００１４】
磁石４ａ〜４ｄの端面は同一平面内に位置しており、磁石５の端面は、当該平面よりも若干突出している。そのため、発音装置１を車体に設置すると、磁石５が車体に適度な圧力で押圧される。
また、後述するように、磁石５には、コイルバネ１５（図２（ｃ））によって車体の方向に付勢されている。
【００１５】
磁石４及び磁石５を吸着させることにより発音装置１を車体に設置した状態で、磁歪素子に発音信号を入力すると、磁歪素子が発音信号に従って伸縮振動し、更に、この振動が磁石５を介して車体に伝達するため、車体から発音信号に従った音が出力される。
【００１６】
図１（ｂ）は、車両発音システムの構成を説明するための図であり、車両１０を上から見たところを示している。
車両発音システムは、発音装置１、発音駆動装置４１、無線スイッチ３１ａ、３１ｂなどから構成されている。
【００１７】
発音装置１は、ボンネットのエンジンルーム側（即ち、ボンネットの裏側）の面の中央付近の位置１１ａに設置してある。
この状態で発音装置１を駆動すると、ボンネットを構成する金属板が発音体として機能して発音し、主に車両１０の前方付近に音が広がる。
【００１８】
なお、ボンネットの裏側の位置によっても発音の状態が異なるが、発音装置１は、磁石４、及び磁石５によって容易に着脱できるため、ユーザは、発音装置１をボンネットの各所に設置しながら試しに発音させて、自分の好みの状態で発音される位置に発音装置１を設置することができる。
【００１９】
発音駆動装置４１は、例えば、エンジンルーム内に設置されており、信号線を介して発音装置１と接続し、また、無線スイッチ３１ａ、３１ｂと無線通信することができる。
なお、以下では、無線スイッチ３１ａ、３１ｂを区別しない場合は単に無線スイッチ３１と記す。
発音駆動装置４１は、無線スイッチ３１から発音指令を無線にて受信すると、発音のために発音装置１を駆動する電気信号（以下、発音信号）を生成して発音装置１に出力する。
発音装置１は、当該発音信号に従って車体を構成する金属板を振動させ、発音信号に対応する音を金属板に出力させる。
【００２０】
無線スイッチ３１ａは、ボタンによるスイッチを供え、ユーザがボタンを押下すると発音駆動装置４１に発音指令を送信する。
無線スイッチ３１ａは、ボタン電池などのバッテリによって駆動し、配線は不要となっている。そのため、ハンドルなどの可動部分に対しても容易に設置することができる。
【００２１】
無線スイッチ３１ｂは、無線スイッチ３１ａと同様の構成となっており、例えば、キーホルダなどに組み込まれて車外に携帯可能となっている。
無線スイッチ３１ｂは、２００［ｍ］程度の距離まで発音駆動装置４１と通信することができ、発音装置１を遠隔から駆動することができる。
そのため、例えば、大型駐車場に駐車して自車の位置がわからなくなった場合に音を出力させて自車の位置を確認したり、自車の付近に不審者がいる場合に警告音を発して防犯に利用したりすることができる。
また、無線スイッチ３１ａを着脱式とし、ユーザが無線スイッチ３１ａを車外に携帯してもよい。
【００２２】
ところで、ボンネットは、発音装置１の設置箇所の一例であって、この他に、例えば、位置１１ｂ（エンジンルームの右側）（前進方向に向かって右側、以下同様）、位置１１ｃ（エンジンルームの左側）、位置１１ｄ（右側のドア）、位置１１ｅ（左側のドア）、位置１１ｆ（天井の中央付近）、位置１１ｇ（後端部の中央付近）などにも設置可能である。
【００２３】
なお、上記の例では、何れも車体を構成する金属板の内側に発音装置１を設置するものとするが、発音装置１が車外に突出してもよい場合は、車体の外側に取り付けることも可能である。
また、この他にも、磁石４が吸引する鋼板で構成された金属板部分には何れも設置可能である。
【００２４】
発音装置１を位置１１ｂに設置した場合、主に車両１０の右側前方に音が広がるが、車体を伝わって車両１０の右側後方にも音が広がる。このため、位置１１ｂは、例えば、右折する際に右折側の歩行者に「右に曲がります。」などと警告音声を発するのに使用することができる。同様に、位置１１ｃは、左折する際に「左に曲がります。」などと警告するのに使用することができる。
【００２５】
位置１１ｄは、右側ドアを中心にして車両１０の右側全体に音が広がり、同様に位置１１ｅは、左側に音が広がる。このため、例えば、ドア開閉時に「ドアが開きます。」などと歩行者などに警告するのに使用することができる。
位置１１ｆは、天井板が全体的に振動するため、車外に発音させる用途のほか、例えば、車内で音楽を発音させたり、複数車両で団体移動している際に、無線で他車両の音声を送信させてこれを発音し、車両間のコミュニケーションを図ったりなど、車内用に発音させるのに使用することができる。
位置１１ｇは、主に後方に音が広がるため、例えば、「バックします。」などと、後退の際に車両１０の後方にいる歩行者に警告音声を発するのに使用することができる。
【００２６】
以下、図２、３を用いて発音装置１の構成について説明する。
図２（ａ）は、発音装置１を長手方向に切断した断面を示した図である。
ケース２は、剛性を有する樹脂で形成されており、設置面に磁石４ａ〜４ｄを設置する凹部と磁石５を挿通する貫通孔６が形成されている。磁石４を設置する凹部には、磁石４をネジ止めするためのネジ穴が形成されている。
なお、ケース２は、振動デバイス１３や磁石５の振動に対して発音装置１自体が振動しにくくなるように、ある程度質量の大きいものが望ましい。また、ケース２や底板３の材質として非磁性の金属を用いることもできる。
【００２７】
ケース２の内部は、振動デバイス１３を収納するための空洞部が形成されており、設置面側には、振動デバイス１３を固定するための円筒部７が形成されている。
円筒部７の内径は、振動デバイス１３の外径よりも若干大きく設定されており、振動デバイス１３は、円筒部７を軸方向に移動することができる。
このため、後述するコイルバネ１５（図２（ｃ））が振動デバイス１３に付勢力を及ぼすと、振動デバイス１３の全体が設置面側に付勢される。
【００２８】
また、円筒部７の長さは、振動デバイス１３の３分の２程度となっており、振動デバイス１３の後端側は円筒部７に収納されず露出している。換言すれば、円筒部７の長さは、ケース２の設置面に垂直に内蔵される振動デバイス１３の長さの３分の２でもある。
これは、振動デバイス１３が駆動によって発熱した場合に放熱を効率的に行うためである。なお、ヒートシンクを設けて外部に放熱するように構成してもよい。
【００２９】
底板３は、ケース２と同様の樹脂によって形成されており、図示しないネジ止め機構により、ケース２の後端にネジ止めされている。
これも図示しないが、ケース２と底板３の間にはＯリングが配置されており、雨の侵入などを防止している。
底板３の底面には、円筒部８が形成されており、後述のコイルバネ１５などが収納されている。
【００３０】
磁石４は、外径が９［ｍｍ］程度の円柱形状を有しており、ケース２の装着面から１［ｍｍ］程度突出している。
磁石４の中心にはネジを挿通するための貫通孔が形成されており、磁石４は、図示しないネジにより、凹部のネジ穴に固定されている。
磁石４のネジ穴はザグリ加工されており、ネジの端部が磁石４の端面よりも磁石４の内側に位置するようになっており、磁石４を車体に吸着させた際に、ネジの端部が車体に接触しないようになっている。この用途では皿ネジが良好である。
また、磁石４を固定するネジの材質は、磁石４の吸着力を良好に維持するために非磁性材料を使用している。
【００３１】
磁石５は、磁石４と同じ材質、形状の磁石であり、振動デバイス１３の振動ロッド２７（図２（ｂ））にネジ止めされている。
前述したように、磁石５の端面は、磁石４ａ〜４ｄの端面が含まれる平面よりも若干突出するように設定されており、磁石４を車体に吸着させた場合、磁石５の端面が車体に良好に付勢される。
【００３２】
ここで、振動デバイス１３の振動ロッド２７に磁石５を設置したのは、振動デバイス１３が振動に際して車体の金属板を押す方向に力を作用させるのみならず、金属板を引く方向にも力を作用させることにより、振動デバイス１３が発生する振動を効率よく金属板に伝達するためである。また、発音装置１の固定能力も高まる。
磁石５を用いずに振動ロッド２７を車体に当接させたのみでは、振動ロッド２７がケース２の内部側に引かれる際に、振動ロッド２７が車体から離れて発音能力に影響する可能性があるが、磁石５を用いると車体から離れず良好に発音させることができる。
【００３３】
図２（ｂ）は、磁石５と振動デバイス１３の関係を説明するための図である。
振動デバイス１３は、円柱形状を有しており、端部の中心からネジ穴が形成された振動ロッド２７が突出している。
磁石５は、磁石４と同じ材質、形状の磁石であり、磁石４に使用したのと同様のネジによって、振動ロッド２７にネジ止めされる。これにより、磁石５は、振動ロッド２７と一体となって振動する。
【００３４】
図２（ｃ）は、振動デバイス１３の付勢機構を説明するための図である。
底板３は、ネジ９、９、・・・によりケース２にネジ止めされている。ネジ９によるネジ止め箇所は、例えば、ケース２の４辺の中央、あるいは、ケース２の４隅とすることができる。
ネジ止め箇所を更に増やして底板３とケース２の接合強度を高めることもできる。
【００３５】
底板３の中央には、円筒部８が形成されており、コイルバネ１５が収納されている。
コイルバネ１５の外径は、円筒部８の内径よりも小さく設定されており、コイルバネ１５は、円筒部８の内部で自由に伸縮することができる。
コイルバネ１５の一端は、円筒部８の端部から突出しており、振動デバイス１３の底部を振動ロッド２７側に押圧している。
コイルバネ１５の他端は、円筒部８の内部に設置された振動吸収部材１６に当接している。
【００３６】
振動吸収部材１６は、例えば、シリコンなどの柔軟性を有する部材により構成されたダンパーであって、コイルバネ１５の振動を吸収する。
これにより、振動デバイス１３の振動がコイルバネ１５を介してケース２に伝達されるのを軽減することができ、発音装置１の発音効果を高めることができる。
【００３７】
振動吸収部材１６と円筒部８の底面の間には、付勢力調整板１７が配置されている。
付勢力調整板１７は、円筒部８の底部を貫通する調節ネジ１８によって円筒部８の内部を中心軸方向に移動可能となっている。
これによって、コイルバネ１５の長さを変化させてコイルバネ１５の付勢力を調節することができる。
【００３８】
調節ネジ１８は、円筒部８の底部中央に設けたネジ穴に嵌合する雄ねじであって、先端が付勢力調整板１７に当接している。
調節ネジ１８を円筒部８の内部にねじ込むと付勢力調整板１７が振動デバイス１３側に移動して付勢力が高まり、逆の方向に調節ネジ１８を回すと付勢力調整板１７がコイルバネ１５の付勢力によって円筒部８の底面側に移動して付勢力が弱まる。
ユーザは、発音が良好となる付勢力となるように調節ネジ１８を調節することができる。
【００３９】
図３は、振動デバイス１３の断面図である。
振動デバイス１３の筐体は、円筒形状を有するケース６０、ケース６０の底部に設置された底板６１、及びケースの開口部に設置された蓋６２から構成されている。
ケース６０の内部には、ケース６０と同軸となる円筒状の駆動コイル２３が配置されている。
駆動コイル２３からは信号線２１が引き出されており、底板６１を貫通して振動デバイス１３の外部で発音駆動装置４１に配線されている。
また、駆動コイル２３の両端部には、駆動コイル２３やケース６０などに伝達する振動を減衰するための振動吸収部材２２、２４が配置されている。
【００４０】
駆動コイル２３の軸穴には、駆動コイル２３と同心となる円柱状の磁歪素子２９が３個直列に配設されている。
そして、各磁歪素子２９の端部には、バイアス磁界を発生させるための永久磁石２８が配設されている。永久磁石２８には、ネオジムを用いたものなどが使用される。
磁歪素子２９に予めバイアス磁界を印可しておくことにより、磁歪素子２９の特性がよい磁界領域で発音信号による磁界を作用させることができる。
【００４１】
振動吸収部材２４の蓋６２側には、振動板２５が配設されている。
振動板２５は、コイルバネ２６によって磁歪素子２９の側に付勢されており、そのため、磁歪素子２９が伸縮により振動すると、振動板２５も共に振動する。
即ち、振動板２５は、磁歪素子２９の伸張により蓋６２側に移動し、磁歪素子２９が収縮する場合は、コイルバネ２６の付勢力によってケース６０側に移動する。
【００４２】
コイルバネ２６は、一端が蓋６２に当接し、他端が振動板２５に当接しており、振動板２５をケース６０の側に付勢している。
振動ロッド２７は、蓋６２の中心に形成された貫通孔を貫通しており、当該貫通孔を自由に移動することができる。
振動ロッド２７の一端は、振動板２５に固定されており、他端には、磁石５を固定するネジ穴が形成されている。
振動ロッド２７は、振動板２５に固定されているため、磁歪素子２９が発生する振動により、振動板２５と共に振動デバイス１３の軸線方向に振動する。
【００４３】
以上のように構成された振動デバイス１３において、信号線２１に発音信号を入力すると駆動コイル２３によって、駆動コイル２３の軸穴方向に発音信号に従った磁界が生じる。
すると、当該磁界が磁歪素子２９に作用して、磁歪素子２９が発音信号に従って磁歪素子２９の軸方向に伸縮する。
この伸縮による振動（伸縮振動）が振動板２５を介して振動ロッド２７に伝達し、振動ロッド２７が発音信号に従って振動デバイス１３の軸方向に振動する。
【００４４】
以上に説明した発音装置１により、次のような効果を得ることができる。
（１）磁石４ａ〜４ｄ、磁石５によって車体などを構成する金属板に発音装置１を設置するため、着脱が容易である。
（２）発音装置１は、防水機能を有するため、エンジンルーム内などの外部環境に晒される箇所にも設置することができる。
（３）磁石５の付勢力を調節することができる。
（４）振動吸収部材１６を用いることにより、振動デバイス１３による振動がケース２に伝わりにくくなり、良好に音を出力させることができる。
（５）振動ロッド２７が磁石５を介して車体に吸着しているため、車体に引きの力を加えることもできる。
（６）車外発音用としてスピーカを装着する場合は、発音体であるコーンに防水カバーなどを装備するため、音波が防水カバーなどに吸収されるが、発音装置１は、車体を発音体とするため、発音体を遮蔽するものが無く、外部にダイレクトに音波を出力することができる。
（７）スピーカの場合、スピーカの音を伝達するための空気を遮蔽するものを削減する必要から、ボディー板金の取り付け位置に穴を開けたり、発生コーン部分を直接外に露出させたりするが、発音装置１は、車体金属板をダイレクトに音波伝達に使用し、音を出力することができる。
【００４５】
以上の説明では、発音装置１を車両に設置する場合について説明したが、例えば、建築物の壁や机などの家具、あるいは、ショーウィンドウのガラスなど、振動によって音を発する対象であれば、発音装置１を設置することができる。
この場合、磁石４ａ〜４ｄ、磁石５の代わりに接着剤やネジを用いるなど、設置対象に適した固定手段を採用することができる。
また、車両に対しても、ネジ止めなど磁石以外の方法によって設置することも可能である。
更に、発音用の振動体として磁歪素子を用いたが、他の素子を用いてもよい。
【００４６】
次に、発音装置１を用いた車両発音システムについて説明する。
図４は、本実施の形態に係る車両発音システムの構成を示した図である。
発音駆動装置４１は、電源回路４５、無線機４４、音声ＩＣ４３、アンプ４２などを備えている。
電源回路４５は、車両の車載電装ボックス５０から電力供給を受けて発音駆動装置４１の各部に電力を供給する回路である。
なお、電力供給は、車載電装ボックス５０のほかに、例えば、乾電池、充電池、アクセサリー電源としても使用されるシガーソケット、又は、これらと同等の電源供給箇所から行うこともできる。
無線機４４は、無線スイッチ３１などの無線送信機から無線信号による発音指令を受信し、当該発音指令に従って音声ＩＣ４３に発音データの出力を指令する。
【００４７】
音声ＩＣ４３は、例えば、エンジン擬音、警告音、「車が通ります。」などの発音データを記憶しており、無線機４４からの指令によって、当該指令に該当する発音データを読み出して、これによる発音信号をアンプ４２に出力する。
アンプ４２は、音声ＩＣ４３が出力した発音信号を増幅して発音装置１に出力し、当該発音信号によって発音装置１を駆動する。
アンプ４２の増幅率を調節することにより、発音装置１が発生させる音の音量を変化させることができる。例えば、無線スイッチ３１ａに増幅率調節用のボタンを供え、無線で音量を調節するように構成することもできる。
【００４８】
無線スイッチ３１ａは、ボタン電池などのバッテリを有しており、ハンドルに着脱可能に装着されている。
無線スイッチ３１ａは、発音指令送信用のボタンを備えており、ユーザがボタンを押下すると、無線機４４に発音指令を送信する。
【００４９】
無線スイッチ３１ａは、配線が必要なく、また、着脱可能であり、ユーザは、ハンドルの自分の好みの箇所に設置することができる。
更に、無線スイッチ３１ａに各種取り付け機構を設置することにより、例えば、運転手側のドア、助手席側のドア、足下などに設置することも可能である。
【００５０】
無線スイッチ３１ａの運用方法は、様々あり、以下では、幾つかを例示する。
例えば、無線スイッチ３１ａのボタンが押下された場合、発音装置１は、予め決められた発音データを固定的に再生するように構成することができる。
この場合、例えば、ユーザがボタンを押下すると、発音駆動装置４１は、発音装置１に警告音を発生させる。
【００５１】
また、無線スイッチ３１ａのボタン押下に際して、ユーザが複数の発音内容から特定のものを指定するように構成することもできる。
この場合、発音指令に、ユーザが指定した発音内容を特定する内容特定情報を含め、音声ＩＣ４３は、内容特定情報で特定される発音データを再生する。
これにより、ユーザの選択に従って、例えば、警告音を発音させたり、「車が通ります。」などの音声を発音させたりすることができる。
【００５２】
発音内容の特定方法としては、無線スイッチ３１ａに当該内容に応じた複数のボタンを備えたり、あるいは、長押しの場合は音声で短押しの場合は警告音など、１つのボタンに選択機能を備えたりすることが可能である。
更に、１回目のボタン押下でエンジン擬音を発生し、２回目のボタン押下でエンジン擬音を停止するといった使用方法も可能である。
【００５３】
また、無線スイッチ３１ａに、センサ３３ａなどの他の装置からの無線信号に基づいて無線機４４に発音指令を送信するように構成することも可能である。
例えば、センサ３３ａは、車内に設置したセンサであって、所定の対象を監視し、監視内容を無線で無線スイッチ３１ａに送信するように構成することができる。
監視対象としては、例えば、車速、エンジン音、エンジンのイグニション周期、ハイブリッド自動車や電気自動車の場合には、走行用モータの電流や回転数、アクセルの開度、ＧＰＳ（Ｇｌｏｂａｌ  Ｐｏｓｉｔｉｏｎｉｎｇ  Ｓｙｓｔｅｍｓ）信号、による現在位置、歩行者、障害物、車両に対する不審な操作などがある。
【００５４】
センサ３３ａが車速センサで車速を検知する場合、次のようにして、発音装置１にエンジン擬音を自動的に出力させることができる。
まず、センサ３３ａは、車両の発車を車速により検知すると、無線スイッチ３１ａに発車を検知した旨の通知を送信する。
すると、無線スイッチ３１ａは、エンジン擬音を発生させる発音指令を生成して発音駆動装置４１に送信する。これにより、発音装置１からエンジン擬音が出力される。
【００５５】
そして、センサ３３ａは、車速が所定値以上（例えば、［２０Ｋｍ／ｈ］以上）となったことを検知すると、その旨の通知を無線スイッチ３１ａに送信する。
すると、無線スイッチ３１ａは、エンジン擬音を停止させる指令を生成して発音駆動装置４１に指令する。これにより、エンジン擬音が停止する。
あるいは、エンジン擬音の発生から所定時間後にエンジン擬音を自動的に停止するように発音駆動装置４１を構成してもよい。
センサ３３ａで、エンジン音、イグニション周期、走行用のモータの電流や回転数、アクセルの開度、ＧＰＳ信号などを検出し、車速を間接的に検出するように構成することもできる。
【００５６】
また、センサ３３ａが障害物センサであって、歩行者などを検知する場合、センサ３３ａは、歩行者が車両の前方の所定距離の範囲に存在することを検知すると、その旨を無線スイッチ３１ａに通知する。
無線スイッチ３１ａは、当該通知を受信すると、発音駆動装置４１に「車が通ります。ご注意下さい。」などの音声を発する指令を送信する。
更に、センサ３３ａが防犯センサの場合、センサ３３ａは、車両に対する不審な操作を検知して無線スイッチ３１ａに通知し、無線スイッチ３１ａが発音装置１に警告音を発生させて防犯を図ることもがきる。
【００５７】
なお、以上では、センサ３３ａは、無線スイッチ３１ａを介して発音指令を発音駆動装置４１に送信したが、センサ３３ａに発音指令を送信する機能を備えて、センサ３３ａから無線機４４に直接発音指令を送信するように構成することもできる。
【００５８】
無線スイッチ３１ｂは、ユーザが携帯可能であり、大規模駐車場での自車位置確認や、車両近傍にいる不審者や動物への警告、その他の用途に用いることができる。
ここで、無線スイッチ３１ａ、３１ｂを全く同じに構成することもできるが、無線スイッチ３１ａのボタンを押下した場合と、無線スイッチ３１ｂのボタンを押下した場合で、発音装置１の発音が異なるように構成することができる。
【００５９】
この場合、発音指令に無線スイッチ３１ａ、無線スイッチ３１ｂを識別する発音指令装置識別情報を付加しておき、発音駆動装置４１は、発音指令識別情報に応じた発音データを再生するように構成する。
これにより、例えば、無線スイッチ３１ａのボタンを押下した場合は、「車が通ります。ご注意下さい。」などと音声を出力させ、無線スイッチ３１ｂのボタンを押下した場合は、警告音を発生するように構成することができる。
【００６０】
センサ３３ｂは、車外に設置したセンサである。
例えば、センサ３３ｂが人感センサの場合、センサ３３ｂを車庫に設置し、不審者や動物（犬、猫、鳥など）などの車庫への侵入を監視させる。そして、センサ３３ｂは、侵入を検知した場合、その旨を無線スイッチ３１ａに通知する。すると、無線スイッチ３１ａは、発音指令を発音駆動装置４１に送信して発音駆動装置４１に警告音を発生させる。
【００６１】
また、ユーザが無線スイッチ３１ｂのボタンを押下することにより、発音駆動装置４１がセンサ３３ｂの検知結果を無視するように構成することもできる。
この場合、ユーザは、センサ３３ｂによる監視を一時停止させて車庫に出入りすることができる。
【００６２】
センサ３３ｃは、センサ３３ｂと同様に車外に設置したセンサである。
センサ３３ｃは、発音指令を生成して無線機４４に送信する機能を有しており、対象を検知すると、無線機４４に発音指令を直接送信することができる。その他の構成はセンサ３３ｂと同様である。
【００６３】
マイク３５は、携帯型のマイクロフォンであり、ユーザの音声信号を発音駆動装置４１に送信する。
この場合、発音駆動装置４１は、無線機４４で音声信号を受信すると、これをアンプ４２で増幅して発音装置１に出力するように構成されている。
このため、ユーザがマイク３５に対して発話すると、その音声が発音装置１によって出力される。
【００６４】
マイク３５は、例えば、ユーザが車両を運転しており、歩行者に左によって欲しい場合に、「もう少し左によってください。」などと、発話内容を車体から発音して歩行者に言語による情報伝達を行うことができる。
【００６５】
また、２台の車両が発音装置１を装備している場合、発音装置１は、車外に直接発音するため、ユーザは車内でも容易に相手の発話を聞くことができる。そのため、ユーザは、例えば、駐車場に停車している２台の車両に乗ったまま会話することができる。
【００６６】
更に、ユーザが複数の車両に分乗して移動する場合に、マイク３５によって１の車両の音声を他の車両に送信するように構成すると、複数の車両に分乗した状態のままユーザ全員で会話することができる。この場合、発音装置１を位置１１ｆ（図１（ｂ））に設置するなどして、車内で出力音を聞けるようにする。
【００６７】
なお、無線スイッチ３１ａにマイク機能を内蔵させてもよい。この場合、ユーザは、無線スイッチ３１ａのボタン押下によって規定の発音データを出力させるほか、自分の発話も出力させることができ、車外に対するコミュニケーション機能を高めることができる。
【００６８】
図５は、音声ＩＣ４３が記憶する発音データの例を示した図である。
発音データには、００１、００２、・・・などの固有のデータ番号が設定されており、００１番は、エンジン擬音、００２番は、警告音、００３番は、「車が通ります。ご注意下さい。」なる音声データ、・・・などとなっている。
音声ＩＣ４３は、発音指令で指定された発音データを読み出して発音信号を生成することにより、複数の中から所定の内容の音を車体に発生させることができる。
【００６９】
これらの発音データは、予め音声ＩＣ４３に記憶しておくほか、例えば、ネットワーク上のサーバからダウンロードして記憶したり、あるいは、ユーザが録音した音声を記憶することも可能である。これにより、例えば、ユーザの好みのエンジン擬音や警告音（ブザー音やメロディーなど）、あるいは音声などを出力させることが可能となる。
この場合、発音駆動装置４１にネットワーク接続機能を備え、直接ダウンロードしてもよいし、発音駆動装置４１に着脱式の記憶媒体を備え、ＰＣ（Ｐｅｒｓｏｎａｌ  Ｃｏｍｐｕｔｅｒ）などを用いて記憶媒体にダウンロードしてもよい。
【００７０】
図６（ａ）は、車両発音システムの変形例を説明するための図である。
本変形例は、複数の発音装置１ａ、１ｂ、１ｃを備えている。発音装置１ａは、位置１１ａ（図１（ｂ））に設置してあり、発音装置１ｂは、位置１１ｂに設置してあり、発音装置１ｃは、位置１１ｃに設置してある。
【００７１】
図示しないが、無線スイッチ３１ａは、発音装置１ａ、１ｂ、１ｃに対応する３つのボタン（それぞれ、中央ボタン、右側ボタン、左側ボタンとする）を有しており、無線スイッチ３１ａは、ボタンが押されると、ボタン識別情報を含む発話指令を生成して発音駆動装置４１に送信する。
【００７２】
これに対し、無線機４４は、無線スイッチ３１ａから発話指令を受信し、これを音声ＩＣ４３に出力する。
音声ＩＣ４３には、ボタンに対応する音声データが記憶されている。例えば、中央ボタンに対しては「車が通ります。ご注意下さい。」、右側ボタンに対しては「右側に曲がります。ご注意下さい。」、左側ボタンに対しては「左に曲がります。ご注意下さい。」なる音声データが発話データとして記憶されている。
そして、音声ＩＣ４３は、発音指令に含まれるボタン識別情報に対応する発音データを読み出して発音信号を生成し、アンプ４２に出力する。
【００７３】
アンプ４２は、これを増幅して切替回路４７に出力する。そして、切替回路４７は、増幅された発音信号をボタン識別情報に対応する発音装置１に送出する。
このようにして、例えば、ユーザが中央ボタンを押下した場合は、「車が通ります。ご注意下さい。」などと、ボタンに対応した音を、ボタンに対応した車体の位置から発生させることができる。このようにボタン識別情報は、発話内容を特定する内容特定情報としての機能を有するほか、発音させる位置を特定する発音位置特定情報としても機能している。
【００７４】
また、車載電装ボックス５０から車速を音声ＩＣ４３に入力し、車速に応じたエンジン擬音を、発音装置１から出力させるように構成することもできる。出力させる発音装置１は、発音装置１ａ〜１ｃの何れでもよい。
エンジン擬音は、例えば、車速が０〜２０［Ｋｍ／ｈ］の間で出力し、車速が早いほど音程を高くして、歩行者に車両の走行状態を聴覚で知らせるようにすることができる。
【００７５】
更に、例えば、エンジン擬音を出力している際に、ユーザが無線スイッチ３１ａを押下した場合に、エンジン擬音を出力している発音装置１において、「左に曲がります。ご注意下さい。」などの音声をエンジン擬音に重畳して出力することも可能である。
【００７６】
図６（ｂ）は、車両発音システムの他の変形例を説明するための図である。
本変形例では、発音装置１の内部に発音駆動装置４１を収納する。そのため、発音装置１は、電源ラインを車載電装ボックス５０に接続すれば、発音用信号を配線せずに使用することができる。
【００７７】
図の例では、発音装置１を３個用い、先の変形例と同様に、発音装置１ａ、１ｂ、１ｃが位置１１ａ、１１ｂ、１１ｃに設置されている。
無線スイッチ３１ａは、中央ボタン、右側ボタン、左側ボタンを有しており、無線スイッチ３１ａは、ボタンが押されると、ボタン識別情報を含む発音指令を生成して発音装置１ａ、１ｂ、１ｃに送信する。
【００７８】
発音装置１ａ、１ｂ、１ｃは、発音指令が自己宛のものであった場合に、これを用いて車体に発音させる。発音内容は、先の変形例と同様である。
発音指令が自己宛か否かを判断する方法は、例えば、発音装置１ａ、１ｂ、１ｃが、発音指令に含まれるボタン識別情報により識別してもよいし、あるいは、発音装置１ａ、１ｂ、１ｃごとに異なった通信周波数を割り当てるなどしてもよい。
【００７９】
以上に説明した車両発音システムにより、次のような効果を得ることができる。
（１）無線通信により発音装置１に発音させることができる。
（２）無線通信を利用するため配線が必要なく、無線スイッチ３１ａをユーザが好む箇所に設置することができ、また、ハンドルなどの可動部分にも設けることが可能である。
（３）車両発音システムを車両に後付けする場合、既に構築されている車内の信号処理ネットワークに手を加えずに構築することができる。また、このため後付けで設置しやすい。
（４）センサ３３などから様々な情報のフィードバックが容易となり、高機能な車両発音システムを構築することができる。
【００８０】
以上に説明した車両発音システムで使用する発音装置１により、次の構成を提供することができる。
振動デバイス１３は、振動装置として機能しており、振動ロッド２７及び磁石５は、発音信号に従って振動する先端部として機能している。また、ケース２、底板３は、振動デバイス１３を収納し、磁石５が外部に突出している。
このため、発音装置１は、発音信号に従って振動体の先端部を振動させる振動装置と、前記先端部を外部に突出させて前記振動装置を収納する容器を備えている。
車体を構成する金属板は、発音体として機能し、磁石４ａ〜４ｄは、当該金属板に吸着してケース２を固定するため、発音装置１は、音を発生する発音体の表面に前記容器を固定する固定手段を備えている。
コイルバネ１５は、振動デバイス１３を車体に付勢するため、発音装置１は、前記容器に収納され、前記振動装置を前記発音体の方向に付勢することにより前記振動体の先端部を前記発音体の表面に付勢する付勢手段を備えている。
【００８１】
コイルバネ１５と底板３の間には振動吸収部材１６が設けてあるため、発音装置１は、前記付勢手段と前記容器の間に配置された振動吸収部材を備えている。
【００８２】
磁石５は、車体を構成する金属板に吸着し、振動ロッド２７の引く力を金属板に作用させることができるため、発音装置１は、前記先端部が前記発音体を前記振動装置の方に引く力を作用させる引込手段を備えている。
【００８３】
磁石４は、複数存在し、磁石５の先端部は、磁石４ａ〜４ｄの端面を含む平面よりも発音体側に突出しているため、前記固定手段は、複数存在し、前記先端部は、前記複数の固定手段の端面を含む平面よりも突出している。
【００８４】
磁石４は、固定手段として機能しており、前記固定手段は、磁石で構成されている。
【００８５】
磁石５は、発音体に吸着して発音体を発音装置１の方に引く力を及ぼすことができるため、前記引込手段は、前記先端部に設けた磁石により構成されている。
【００８６】
コイルバネ１５の付勢力は、付勢力調整板１７と調節ネジ１８により調節することができるため、発音装置１は、前記付勢手段の付勢力を調節する調節手段を備えている。
【００８７】
無線スイッチ３１ａなどは、無線で発音指令を送信し、無線機４４がこれを受信するため、発音駆動装置４１は、発音指令装置から発音指令を無線受信する発音指令受信手段を備えている。
音声ＩＣ４３は、発音指令に従って発音信号を生成し、アンプ４２がこれを増幅するため、発音駆動装置４１は、前記受信した発音指令に従って発音信号を生成する発音信号生成手段を備えている。
振動デバイス１３は、磁歪素子２９を発音信号に従った振動をさせて車体の表面を振動させるため、発音装置１は、前記生成した発音信号に従って振動体を振動させることにより車体の表面を振動させて発音させる発音手段を備えている。
このように、発音駆動装置４１及び発音装置１は、これら要素を備えた車体発音装置として機能している。
【００８８】
また、発音指令装置は、無線スイッチ３１ａ、３１ｂ、センサ３３ｃなど複数存在し、これら発音指令装置に応じた音を発音装置１に出力させることができるため、前記発音指令装置は、複数存在し、前記発音信号生成手段は、前記発音指令装置に応じた発音信号を生成している。
【００８９】
また、ユーザが無線スイッチ３１ａで発音内容を指定して発音駆動装置４１に送信することもでき、この場合、発音指令には、発音内容を特定する内容特定情報が含まれており、前記発音信号生成手段は、前記内容特定情報に応じた発音信号を生成する。
【００９０】
また、複数の発音装置１ａ〜１ｃを、異なる位置１１ａ〜１１ｃに設置し、ユーザが駆動する発音装置１を選択することもできるため、前記発音手段は、前記車体の異なる箇所に複数設置されており、前記発音指令には、前記発音手段を選択する選択情報が含まれており、前記選択情報で選択された発音手段が前記車体の表面を振動させる。
【００９１】
また、マイク３５から音声を発音駆動装置４１に送信する場合、マイク３５から発音駆動装置４１に送信される音声信号が発音指令として機能している。
【００９２】
また、無線スイッチ３１ａは、センサ３３ｂから信号を受けた場合に、発音駆動装置４１に発音指令を送信するため、所定の対象を検知するセンサから、検知対象が検知された旨の信号を受信する検知信号受信手段と、前記検知信号を受信した場合に、発音指令装置から発音指令を無線受信する発音指令受信手段と、前記受信した発音指令に従って発音信号を生成する発音信号生成手段と、前記生成した発音信号に従って振動体を振動させることにより車体の表面を振動させて発音させる発音手段と、を備えた車両発音装置に発音指令を無線送信する発音指令送信手段と、を備えている。
【符号の説明】
【００９３】
１  発音装置
２  ケース
３  底板
４  磁石
５  磁石
６  貫通孔
７  円筒部
８  円筒部
９  ネジ
１０  車両
１１  位置
１３  振動デバイス
１５  コイルバネ
１６  振動吸収部材
１７  付勢力調整板
１８  調節ネジ
２１  信号線
２２  振動吸収部材
２３  駆動コイル
２４  振動吸収部材
２５  振動板
２６  コイルバネ
２７  振動ロッド
２８  永久磁石
２９  磁歪素子
３１  無線スイッチ
３３  センサ
３５  マイク
４１  発音駆動装置
４２  アンプ
４３  音声ＩＣ
４４  無線機
４５  電源回路
４７  切替回路
５０  車載電装ボックス
６０  ケース
６１  底板
６２  蓋
【図１】
2012091590.tif 000003
【図２】
2012091590.tif 000004
【図３】
2012091590.tif 000005
【図４】
2012091590.tif 000006
【図５】
2012091590.tif 000007
【図６】
2012091590.tif 000008